(57)【特許請求の範囲】
【請求項１】
本体、該本体の後方における左右両側に設けられた左右一対のヒップガード部を有し、該本体の非肌当接面側に本体粘着部が設けられ且つ該ヒップガード部の非肌当接面側にヒップガード粘着部が設けられている吸収性物品と、これを個装する包装シートとからなり、該吸収性物品の展開状態において、該本体粘着部及び該ヒップガード粘着部と該包装シートの内面とを剥離自在に粘着させてあり、このような粘着状態の該吸収性物品と該包装シートとが一体的に折り畳まれている吸収性物品の包装構造において、
前記吸収性物品の前方両側部と一対の前記ヒップガード部の両側部との間における前記包装シートの両側部の一部に、前記両側縁部からそれぞれ内方に向けて離反部が形成されており、
前記ヒップガード部は、前記離反部より後方における前記包装シートの側部部分と共に、前記本体の肌当接面側に折り曲げられており、
前記吸収性物品は、前記包装シートの折り曲げられた状態で、該包装シートと共に、該吸収性物品の長手方向に向けて、該吸収性物品の後端部から該吸収性物品の肌当接面側に少なくとも３つ折りさせて折り畳まれており、
前記離反部より前方における前記包装シートの側部部分において、該包装シートの重ね合わせ部分でシールされ、前記吸収性物品が該包装シートにより包装されている吸収性物品の包装構造。
【請求項２】
一対の前記ヒップガード部の両側部は、前記粘着状態において、前記包装シートの長手方向に沿う両側縁部の外方にそれぞれ存している請求項１に記載の吸収性物品の包装構造。
【請求項３】
前記吸収性物品は、その前方における左右両側に左右一対のウイング部が設けられ、該ウイング部の非肌当接面側にウイング粘着部が設けられており、前記ウイング部が、前記本体の肌当接面側に折り曲げられ、前記ウイング粘着部に粘着部保護シートを剥離自在に粘着させてある請求項１又は２に記載の吸収性物品の包装構造。
【請求項４】
前記包装シートが１枚のシートからなり、前記離反部が切れ込みである請求項１〜３の何れかに記載の吸収性物品の包装構造。
【請求項５】
前記包装シートが２枚のシートからなり、該２枚のシートは、それぞれの長手方向端縁部の中央部において接合されており、それぞれの長手方向端縁部の両端部が前記離反部を形成している請求項１〜３の何れかに記載の吸収性物品の包装構造。
【請求項６】
本体、該本体の左右両側に設けられた左右一対のウイング部を有し、該本体の非肌当接面側に本体粘着部が設けられ且つ該ウイング部の非肌当接面側にウイング粘着部が設けられている吸収性物品と、これを個装する包装シートとからなり、該吸収性物品の展開状態において、該本体粘着部及び該ウイング粘着部と該包装シートの内面とを剥離自在に粘着させてあり、このような粘着状態の該吸収性物品と該包装シートとが一体的に折り畳まれている吸収性物品の包装構造において、
前記吸収性物品の前方及び／又は後方の両側部と一対の前記ウイング部の両側部との間における前記包装シートの両側部の一部に、前記両側縁部からそれぞれ内方に向けて離反部が形成されており、
前記ウイング部は、前記離反部と前記前方の長手方向端縁又は後方の長手方向端縁との間における前記包装シートの側部部分と共に、前記本体の肌当接面側に折り曲げられており、
前記吸収性物品は、前記包装シートの折り曲げられた状態で、該包装シートと共に、該吸収性物品の長手方向に向けて、該吸収性物品の前記前方の端部又は後方の端部から該吸収性物品の肌当接面側に少なくとも３つ折りさせて折り畳まれており、
前記離反部と前記後方の長手方向端縁及び／又は前方の長手方向端縁との間における前記包装シートの側部部分において、該包装シートの重ね合わせ部分でシールされ、前記吸収性物品が該包装シートにより包装されている吸収性物品の包装構造。
【請求項７】
一対の前記ウイング部の両側部は、前記粘着状態において、前記包装シートの長手方向に沿う両側縁部の外方にそれぞれ存している請求項６に記載の吸収性物品の包装構造。
【請求項８】
前記ウイング部が前記吸収性物品の前方寄りに設けられている請求項６又は７に記載の吸収性物品の包装構造。
【発明の詳細な説明】
【０００１】
【発明の属する技術分野】
本発明は、フラップとして、ヒップガード部及び／又はウィング部の設けられた吸収性物品と、該吸収性物品を個装する包装シートとが一体的に折り畳まれてなり、開封と同時に一気に吸収性物品を使用状態になし得る吸収性物品の包装構造に関する。
【０００２】
【従来の技術及び発明が解決しようとする課題】
従来より、フラップとして、ヒップガード部及び／又はウィング部の設けられた吸収性物品と、該吸収性物品を個装する包装シートとからなり、該吸収性物品の展開状態において両者を剥離自在に粘着させ、両者が一体的に折り畳まれている吸収性物品の包装構造がある。
このような構成の吸収性物品の包装構造は、開封と同時に一気に吸収性物品を使用状態になし得るため、吸収性物品単独で折り畳んだ後、包装シートで包装したものに比して、簡便に取り扱うことができるもので、特開平３−１７６３７６号公報、特表２０００−５０２９４２号公報、特開平ｌ０−７５９７５号公報及び実開平５−９５２９号公報等に開示されている。
【０００３】
特開平３−１７６３７６号公報には、フラップを有する生理用ナプキンに、該生理用ナプキンの長手方向及び幅方向より大きな剥離性の包装材を貼り合わせ、該フラップを包装材と共に生理用ナプキンの表面側に折り畳んだ後に、長手方向に３つ折りし包装するようにした技術が記載されている。
この技術においては、生理用ナプキンをコンパクトに包装可能ではあるが、フラップを広げた寸法よりも大きな包装材を使用する必要があり、包装材のコストアップになるばかりか、包装材が密閉されていないために、ナプキンを折り畳んだ状態では、幅方向からゴミが中に入る可能性もあり、衛生上も好ましくない。
【０００４】
特表２０００−５０２９４２号公報には、生理用ナプキンにおける二つのフラップ（ショーツを包み込んで固定する第１フラップと、ショーツ内で拡げて固定する第２フラップ）を本体の肌当接面側に折り畳み、そのフラップの非肌当接面側にズレ止め材を設け、且つフラップのズレ止め剤を覆う剥離ストリップを設け、フラップ上の剥離ストリップと本体の包装材とを接合し、３つ折り包装する技術が記載されている。
この技術においては、包装状態より生理用ナプキンを取り出したときにフラップの剥離ストリップまで剥がれるため取り出し性に優れるが、本体の包装材とは別にフラップの剥離材が必要であるため、包装材を余分に使用するばかりか、ショーツ内に拡げて固定するフラップを予め肌当接面側に折り畳んでおく必要がある。そのため、その折り畳んだ上面のみにしかズレ止め剤を塗工することができず、十分な粘着力が得られず、使用中に使用者が激しい動きをすると、ショーツ内でフラップが安定しない場合もある。
【０００５】
特開平ｌ０−７５９７５号公報には、生理用ナプキンにおける２つのフラップ（ショーツを包み込んで固定する第１フラップと、ショーツ内で拡げて固定する第２フラップ）の非肌当接面にズレ止め剤を設け、フラップのズレ止め剤を覆う剥離ストリップを設け、フラップと剥離ストリップごと肌当接面側に折り畳み、本体包装材で包装する技術が記載されている。
この技術も、広い面積の本体包装材とは別に、フラップのズレ止め剤を覆う剥離ストリップを必要とするため、コストアップになってしまう。
【０００６】
実開平５−９５２９号公報には、フラップを有する生理用ナプキンにおいて、本体のズレ止め剤を覆う剥離シートとフラップのズレ止め剤を覆う剥離シートとを接合し、フラップを非肌当接面側に折り畳むようにした技術が記載されている。
この技術によれば、フラップ及び本体のズレ止め剤から剥離シートを一度に剥がせるが、フラップを非肌当接面側に折り畳んでいるために、剥離シートを剥がした後、フラップに折り癖がついてしまう。そのため、フラップの粘着剤が本体の粘着剤に付着するのを防止するために、本体の粘着部におけるフラップの位置する部分の粘着部を削除している。このようにナプキン中央における本体の粘着部を削除することは、ナプキンのズレやヨレを防止することを本質的に阻害するものであり、好ましくない。
【０００７】
上述した従来の包装構造により包装される生理用ナプキンは、何れもズレ防止力が十分とはいえない。
ズレ防止力を向上させるためには、ズレ止め用粘着部の面積を大きくすればよいが、上述した生理用ナプキンの包装構造においては、粘着部の面積を大きくすると、包装シートの大きさを大きくする必要があり、包装シートの大きさを大きくすると、包装シートに要するコストがアップすると共に包装構造全体のコンパクト化を図ることができない。
【０００８】
従って、本発明の目的は、開封時の操作が簡便で、ズレ防止力が高く且つ包装シートに要するコストが必要最小限であり、包装構造全体がコンパクトである吸収性物品の包装構造を提供することにある。
【０００９】
【課題を解決するための手段】
本発明は、本体、該本体の後方における左右両側に設けられた左右一対のヒップガード部を有し、該本体の非肌当接面側に本体粘着部が設けられ且つ該ヒップガード部の非肌当接面側にヒップガード粘着部が設けられている吸収性物品と、これを個装する包装シートとからなり、該吸収性物品の展開状態において、該本体粘着部及び該ヒップガード粘着部と該包装シートの内面とを剥離自在に粘着させてあり、このような粘着状態の該吸収性物品と該包装シートとが一体的に折り畳まれている吸収性物品の包装構造において、
前記吸収性物品の前方両側部と一対の前記ヒップガード部の両側部との間における前記包装シートの両側部の一部に、前記両側縁部からそれぞれ内方に向けて離反部が形成されており、前記ヒップガード部は、前記離反部より後方における前記包装シートの側部部分と共に、前記本体の肌当接面側に折り曲げられており、前記吸収性物品は、前記包装シートの折り曲げられた状態で、該包装シートと共に、該吸収性物品の長手方向に向けて、該吸収性物品の後端部から該吸収性物品の肌当接面側に少なくとも３つ折りさせて折り畳まれており、前記離反部より前方における前記包装シートの側部部分において、該包装シートの重ね合わせ部分でシールされ、前記吸収性物品が該包装シートにより包装されている吸収性物品の包装構造（以下、第１発明ともいう）を提供することにより、前記の目的を達成するものである。
【００１０】
また、本発明は、本体、該本体の左右両側に設けられた左右一対のウイング部を有し、該本体の非肌当接面側に本体粘着部が設けられ且つ該ウイング部の非肌当接面側にウイング粘着部が設けられている吸収性物品と、これを個装する包装シートとからなり、該吸収性物品の展開状態において、該本体粘着部及び該ウイング粘着部と該包装シートの内面とを剥離自在に粘着させてあり、このような粘着状態の該吸収性物品と該包装シートとが一体的に折り畳まれている吸収性物品の包装構造において、
前記吸収性物品の前方及び／又は後方の両側部と一対の前記ウイング部の両側部との間における前記包装シートの両側部の一部に、前記両側縁部からそれぞれ内方に向けて離反部が形成されており、前記ウイング部は、前記離反部と前記前方の長手方向端縁又は後方の長手方向端縁との間における前記包装シートの側部部分と共に、前記本体の肌当接面側に折り曲げられており、前記吸収性物品は、前記包装シートの折り曲げられた状態で、該包装シートと共に、該吸収性物品の長手方向に向けて、該吸収性物品の前記前方の端部又は後方の端部から該吸収性物品の肌当接面側に少なくとも３つ折りさせて折り畳まれており、前記離反部と前記後方の長手方向端縁及び／又は前方の長手方向端縁との間における前記包装シートの側部部分において、該包装シートの重ね合わせ部分でシールされ、前記吸収性物品が該包装シートにより包装されている吸収性物品の包装構造（以下、第２発明ともいう）を提供することにより、前記の目的を達成するものである。
【００１１】
【発明の実施の形態】
以下、本発明（第１発明）の吸収性物品の包装構造を、その好ましい一実施形態（第１実施形態）について、図１〜図４を参照しながら説明する。
第１実施形態の吸収性物品の包装構造は、図１に示すように、本体３、該本体３の後方における左右両側に設けられた左右一対のヒップガード部４を有し、該本体３の非肌当接面側に本体粘着部５１が設けられ且つ該ヒップガード部４の非肌当接面４１側にヒップガード粘着部５２が設けられている吸収性物品２と、これを個装する包装シート６とからなり、該吸収性物品２の展開状態において、該本体粘着部５１及び該ヒップガード粘着部５２と該包装シート６の内面６１とを剥離自在に粘着させてあり、このような粘着状態の該吸収性物品２と該包装シート６とが、図２〜図４に示すように、一体的に折り畳まれている。
【００１２】
第１実施形態の吸収性物品の包装構造は、上述した構成の吸収性物品の包装構造において、吸収性物品２として生理用ナプキンを用いたものである。
生理用ナプキン２における一対の前記ヒップガード部４の両側部４３は、図１に示すように、前記粘着状態において、前記包装シート６の長手方向に沿う両側縁部６２の外方にそれぞれ存しており、該生理用ナプキン２の前方両側部２３と一対の該ヒップガード部４の両側部４３との間における該包装シート６の両側部６３の一部に、前記両側縁部６２からそれぞれ内方に向けて離反部７が形成されている。
また、前記ヒップガード部４は、図２に示すように、前記離反部７より後方における前記包装シート６の側部部分６４と共に、前記本体３の肌当接面３２側に折り曲げられており、前記生理用ナプキン２は、図３に示すように、前記包装シート６の折り曲げられた状態で、該包装シート６と共に、該生理用ナプキン２の長手方向に向けて、該生理用ナプキン２の後端部２４から該吸収性物品２の肌当接面２２側に４つ折りさせて折り畳まれている。
第１実施形態の生理用ナプキンの包装構造は、前述のように前記生理用ナプキン２と前記包装シート６とが折り畳まれた状態で、図４に示すように、前記離反部７より前方における前記包装シート６の側部部分６５において、該包装シート６の重ね合わせ部分でシール部６８が形成され、前記生理用ナプキン２が該包装シート６により包装されて構成されている。
【００１３】
また、第１実施形態の生理用ナプキン２は、図１に示すように、その前方における左右両側に左右一対のウイング部８が設けられ、該ウイング部８の非肌当接面８１側にウイング粘着部５３が設けられており、前記ウイング部８が、前記本体３の肌当接面３２側に折り曲げられ、前記ウイング粘着部５３に粘着部保護シート９を剥離自在に粘着させてある。
粘着部保護シートの形成材料としては、剥離処理されたポリオレフィンフィルム、ポリエステルフィルムや紙等が用いられる。
【００１４】
尚、前記ヒップガード部４は、使用時にショーツ内で拡げてショーツに粘着固定するためのものであり、前記ウイング部８は、使用時にショーツに巻きつけて粘着固定するためのものである。
【００１５】
第１実施形態における生理用ナプキン２は、肌当接面３２が液透過性の表面シートから形成され、また、非肌当接面（図示せず）が液不透過性の裏面シートから形成され、更に表面シート（肌当接面３２）と裏面シート（非肌当接面）との間に液保持性の吸収体（図示せず）を有している。また、生理用ナプキン２の本体３及びヒップガード部４の非肌当接面側の略全面に、図１において破線のハッチングで示すように、本体粘着部５１及び一対のヒップガード粘着部５２がＴ字型で一体的に設けられている。
【００１６】
前記包装シート６は、１枚の長方形状のシートからなり、その両側部６３の一部がそれぞれ破断され、前記離反部として切れ込み７が形成されている。また、包装シート６は、その内面には剥離処理がなされており、その前端部６６には包装構造止着用のタブテープ５４が設けられている。
【００１７】
包装シートの形成材料は、公知のものを用いることができ、具体的には、厚さ５〜５０μｍのポリプロピレン、ポリエステル、ポリエチレン、ポリビニルアルコール、あるいは不織布や紙、及びこれらの複合材料等の包装シート材料が挙げられる。
包装シートの内面の剥離処理は、公知の手法を用いて行うことができ、具体的には、包装シートの内面全面に、剥離処理剤を塗布するか又は剥離テープ、剥離紙、剥離処理した不織布、剥離処理したポリエチレンラミネート紙若しくは剥離処理したポリエチレンフィルム等の剥離部材を貼付する等して行うことができる。剥離処理剤あるいは剥離部材の剥離剤成分としてはシリコーン樹脂系、フッソ樹脂系、又はオクタデシルイソシアネート系等のものが好ましい。特に、上記剥離処理としては、上記剥離剤成分として、シリコーン樹脂系のものを用いて、塗布して加熱乾燥、紫外線照射等により高分子量化するか、スプレーで吹きつけ薄い被膜を形成させる等するのが好ましい。
【００１８】
このように構成された第１実施形態の生理用ナプキンの包装構造によれば、ヒップガード部に設けるズレ止め用の粘着部を、本体粘着部と一体的に設けることができるため、粘着部全体の面積が広く、ズレ防止力が高い。しかも、包装シートの大きさを、その長手方向両側縁部がヒップガード部の両側部より内方に配置される程度に小さくすることができるので、包装シートに要するコストを必要最小限にすることができ、且つ包装構造全体がコンパクトになる。
【００１９】
次に、第１実施形態の生理用ナプキンの包装構造について、図１〜図４を参照して、その構成を包装順序と共に詳述する。尚、図１〜図４は、第１実施形態の生理用ナプキンの包装構造を、その包装順序に従って図示したものである。
生理用ナプキン２と包装シート６とは、図１に示すように、それぞれ展開状態で剥離自在に粘着させて接合されている。このような粘着状態において、生理用ナプキンの後端部２４及び一対のヒップガード部４の両側部４３は、それぞれ包装シート６の後端部６７の外方及び包装シート６の長手方向の両側縁部６２の外方に存しており、切れ込み７は、ヒップガード粘着部５２と重ならず且つヒップガード部４と重なるように配置されている。
【００２０】
また、一対のウイング部８は、本体３の肌当接面３２側に折り返され、該ウイング部８の非肌当接面８１側に塗布されたウイング粘着部５３を介して、該ウイング粘着部５３を被覆するための長方形状の粘着部保護シート９が、一対のウイング部８を連結するように貼付されている。
【００２１】
粘着部保護シート９の表面一端には、包装シート６における最後方部１４（図３参照）と接合するためのホットメルト部９１が線状に設けられている。ここで、ホットメルト部９１による粘着部保護シート９と最後方部１４における包装シート６との間の接合力は、ウイング粘着部５３による粘着部保護シート９とウイング部８の非肌当接面８１との間の接合力より十分に大きいものとなっている。
【００２２】
次に、生理用ナプキンと包装シートとが展開状態で粘着接合された、図１に示す状態から、前記ヒップガード部４が、図２に示すように、それぞれ包装シート６の前記側部部分６４（切れ込み７から後端部６７寄りの部分）と共に、本体３の肌当接面３２側に折り曲げられる。
【００２３】
そして、図２に示す前記側部部分６４を折り曲げた状態とされた生理用ナプキン２及び包装シート６は、図３に示すように、タブテープ５４の設けられていない側から、図１に示す横線イ、ロ及びハが横断する部分において、生理用ナプキン２側の中間部１２に向けて、最後方部１４、後方部１３及び前方部１１の順で順次折り返され、それらが積層された状態に折り畳まれている。尚、前方部１１が折り返される前に、最後方部１４における個装シート６と粘着部保護シート９とはホットメルト部９１により接合される。中間部１２と後方部１３とは略同じ大きさとなっている。
【００２４】
上述のようにして、生理用ナプキン２及び包装シート６が４つ折りに折り畳まれた状態で、図４に示すように、タブテープ５４により前方部１１における包装シート６と後方部１３における包装シート６とが粘着接合され、更に包装シート６の長手方向に沿う両側部６３がヒートシールにより接合されて、第１実施形態の生理用ナプキンの包装構造が形成されている。
【００２５】
次に、第１実施形態の生理用ナプキンの包装構造を開封し、生理用ナプキンを包装シートから剥離させる手順について、図４〜図１を参照して説明する。
先ず、図４に示す状態からタブテープ５４を持って包装シート６の前方部１１を後方部１３から引き離すと、それに伴って、包装シートの両側部６３における前方部１１と中間部１２及び後方部１３との重ね合わせ部分のヒートシール部６８が引き剥がれる。
【００２６】
次に、包装シート６の後方部１３及び最後方部１４を掴んで、包装シート６の後方部１３及び最後方部１４を中間部１２から引き離すと、包装シートの両側部６３における後方部１３と中間部１２との重ね合わせ部分のヒートシール部６８が引き剥がされ、図３に示す状態と同様の状態（この状態は、図３に図示の状態とは、粘着部保護シート９が最後方部１４と接合されている点が異なる）となる。このとき、粘着部保護シート９は、ホットメルト部９１の接合力により最後方部１４に接合した状態で、ウイング部８から引き剥がされるので、使用者が別途粘着部保護シート９を取り除く必要はない。
このようにして、第１実施形態の生理用ナプキンの包装構造は、展開されて、図２に示す状態と同様の状態（この状態は、図２に図示の状態とは、粘着部保護シート９が最後方部１４と接合されている点が異なる）になる。
図２に示す状態と同様の状態から、又は更にヒップガード部４を展開し図１に示す状態と同様の状態（この状態は、図１に図示の状態とは、粘着部保護シート９が最後方部１４と接合されている点が異なる）にしてから、生理用ナプキン２を包装シート６から剥離させて、該生理用ナプキンを使用することができる。
【００２７】
次に、第１発明の第２実施形態の生理用ナプキンの包装構造について、図５を参照して説明する。
第２実施形態の生理用ナプキンは、図５に示すように、生理用ナプキンにウイング部が設けられておらず、包装シートが２枚のシートを接合して形成されている。これら以外の構成については、第１実施形態の生理用ナプキンの包装構造に準じて構成されている。第２実施形態において特に説明しない点については、第１実施形態における説明が適宜適用される。以下には、第１実施形態と同様の構成については説明を省略する。
【００２８】
第２実施形態の生理用ナプキンの包装構造においては、図５に示すように、包装シートは、２枚のシート６Ａ、６Ｂをそれぞれの長手方向端縁部の中央部５４（ハッチング部分）において接合させて形成されており、本体粘着部５１Ａ、５１Ｂが一方のシート６Ａと他方のシート６Ｂとに分離して設けられている。また、一方の包装シート６Ａの長手方向の後端部６７Ａと他方の包装シート６Ｂの長手方向の前端部６６Ｂとで、離反部７が形成されている。
【００２９】
このような構成の第２実施形態の生理用ナプキンの包装構造においても、第１実施形態の生理用ナプキンの包装構造と同様な効果を得ることができる。
また、第２実施形態の生理用ナプキンの包装構造は、包装シートが２枚のシートを接合させたものであるため、第１実施形態のように１枚の包装材料に切れ込みを入れる必要がなく、離反部を設けることができる。
【００３０】
次に、本発明の第２発明の吸収性物品の包装構造の実施形態（第３実施形態）について、図６を参照して説明する。
第３実施形態における生理用ナプキンは、図６に示すように、ウイング部８を備えているが、ヒップガード部を備えておらず、本体粘着部５１とウイング粘着部５３とがＴ字型で一体的に設けられている。また、切れ込み７がウイング部８の近傍に形成され、タブテープ５４が包装シート６の後端部６７に設けられている。上述した以外の構成については、第１実施形態の生理用ナプキンの包装構造に準じて構成されている。第３実施形態において特に説明しない点については、第１実施形態における説明が適宜適用される。以下には、第１実施形態と同様の構成については説明を省略する。
【００３１】
第３実施形態の生理用ナプキンの包装構造は、図６に示すように、本体３、該本体３の左右両側に設けられた左右一対のウイング部８を有し、該本体３の非肌当接面側に本体粘着部５１が設けられ且つ該ウイング部８の非肌当接面８１側にウイング粘着部５３が設けられている生理用ナプキン２と、これを個装する包装シート６とからなり、該吸収性物品２の展開状態において、該本体粘着部５１及び該ウイング粘着部５３と該包装シート６の内面６１とを剥離自在に粘着させてあり、このような粘着状態の該吸収性物品２と該包装シート６とが一体的に折り畳まれている。
【００３２】
生理用ナプキン２における一対の前記ウイング部８の両側部８２は、図６に示すように、前記粘着状態において、前記包装シート６の長手方向に沿う両側縁部６２の外方にそれぞれ存しており、前記吸収性物品２の後方の両側部６２と一対の該ウイング部８の両側部８２との間における該包装シート６の両側部６３の一部に、前記両側縁部６２からそれぞれ内方に向けて離反部７が形成されている。
また、前記ウイング部８は、前記離反部７と前方の長手方向端縁６６との間における前記包装シートの側部部分６５と共に、前記本体３の肌当接面３２側に折り曲げられており、前記吸収性物品２は、前記包装シート６の折り曲げられた状態で、該包装シート６と共に、該吸収性物品２の長手方向に向けて、該吸収性物品２の前記前方の端部６６から該吸収性物品２の肌当接面側に４つ折りさせて折り畳まれている、
第３実施形態の生理用ナプキンの包装構造は、前述のように前記生理用ナプキン２と前記包装シート６とが折り畳まれた状態で、前記離反部７と前記後方の長手方向端縁６７との間における前記包装シート６の側部部分６４において、該包装シート６の重ね合わせ部分でシールされ、前記吸収性物品２が該包装シート６により包装されて構成されている。
【００３３】
第３実施形態の生理用ナプキンの包装構造においても、第１実施形態の生理用ナプキンの包装構造と同様に、生理用ナプキンの粘着部の面積を広くすることができ、且つ包装シートの大きさを小さくすることができるので、第１実施形態の生理用ナプキンの包装構造と同様の効果が得られる。
【００３４】
以上、本発明の吸収性物品の包装構造を、その好ましい実施形態について説明したが、本発明の吸収性物品の包装構造は、前述した実施形態に制限されることなく、本発明の趣旨を逸脱しない限り、以下に述べるように適宜変更が可能である。
前述の実施形態においては、包装される吸収性物品として生理用ナプキンを用いているが、本発明の吸収性物品の包装構造は、生理用ナプキン以外にも、失禁パッド等の吸収性物品の包装にも適用することができる。
本発明の吸収性物品の包装構造においては、吸収性物品におけるヒップガード部及び／又はウイング部の形態や配置位置は、前述の実施形態における形態や配置位置には限定されず、例えば、一対のヒップガード部及び／又はウイング部の両側部が、包装シートの長手方向に沿う両側縁部の内方にそれぞれ存しているものでもよい。また、吸収性物品の折り返しも、４つ折りに限定されるものではない。粘着剤は、粘着剤領域にストライプ状又はドット状パターンに形成されていてもよい。
第１発明の吸収性物品の包装構造における吸収性物品は、前記第１実施形態のように、ヒップガード部及びウイング部の両方が設けられたものでもよく、前記第２実施形態のように、ヒップガード部が設けられ且つウイング部の設けられていないものでもよい。
第２発明の吸収性物品の包装構造においては、離反部（切れ込み）は、前記第３実施形態のように、包装シートにおける吸収性物品の前方寄りに形成されているものに限定されず、後方よりに形成されていてもよく、また、該離反部は、前方又は後方に一対形成されているものに限定されず、前方及び後方に二対形成されていてもよい。
また、前記第１実施形態〜第３実施形態の構成を適宜組み合わせた構成とすることもできる。
吸収性物品の折り畳み手順や折り畳み方、離反部の形態、包装シートを２枚のシートで構成する場合の２枚のシートの接合形態等についても、本発明の趣旨を逸脱しない範囲で適宜変更可能である。
【００３５】
【発明の効果】
本発明の吸収性物品の包装構造によれば、ヒップガード部及び／又はウィング部に設けるズレ止め用の粘着部の面積が広いためズレ防止力が高く、且つ包装シートの大きさが小さいため、包装シートに要するコストが必要最小限であり、包装構造全体がコンパクトである。また、一対のヒップガード部及び／又はウイング部の両側部が、包装シートの長手方向に沿う両側縁部の外方にそれぞれ存するように包装シートの大きさを選択しても、本発明の包装構造を構成することができるので、このような構成にすれば、包装シートの大きさを更に小さくすることができる。
【図面の簡単な説明】
【図１】本発明の第１実施形態の吸収性物品の包装構造の展開図で、吸収性物品と包装シートとを粘着させた状態を示す平面図である。
【図２】図１に示す包装構造において、ヒップガード部を折り曲げた状態を示す平面図である。
【図３】図１に示す包装構造において、吸収性物品を包装シートと共に長手方向に向けて折り畳んでいる状態を示す斜視図である。
【図４】本発明の第１実施形態の吸収性物品の包装構造を示す斜視図である。
【図５】本発明の第２実施形態の吸収性物品の包装構造の展開図で、吸収性物品と包装シートとを粘着させた状態を示す平面図（第１図相当図）である。
【図６】本発明の第３実施形態の吸収性物品の包装構造の展開図で、吸収性物品と包装シートとを粘着させた状態を示す平面図（第１図相当図）である。
【符号の説明】
１          吸収性物品の包装構造
２          吸収性物品（生理用ナプキン）
２２        肌当接面
２３        前方両側部
２４        後端部
２５        前端部
３          本体
３２        肌当接面
４          ヒップガード部
４１        非肌当接面
４３        両側部
５１        本体粘着部
５２        ヒップガード粘着部
５３        ウイング粘着部
５４        タブテープ
６          包装シート
６１        内面
６２        両側縁部
６３        両側部
６４、６５  側部部分
６６        前端部
６７        後端部
７          離反部（切れ込み）
８          ウイング部
８１        非肌当接面
８２        両側部
９          粘着部保護シート
【図１】
0004393015.tif 000002
【図２】
0004393015.tif 000003
【図３】
0004393015.tif 000004
【図４】
0004393015.tif 000005
【図５】
0004393015.tif 000006
【図６】
0004393015.tif 000007